(57)【要約】  【課題】  イネーブラの装着の有無により、記憶装置に残された画像データが不要な場合に、アロケーション・データが示す実データを消去して秘匿性を確保する機能を選択的に設定することができる画像処理装置を提供する。  【解決手段】  画像処理装置１００は、ＨＤＤ１９における使用済み画像データを消去するための消去プログラムを予めメモリ１１に格納しておく。ＨＤＤの画像データによって画像形成処理を行った場合に、ＵＳＢインタフェース２０にイネーブラ１が挿入されて消去プログラムの利用制限が解除されていることを検出すると、ＣＰＵ１０は、不要データに対して、そのアロケーション・データを削除すると共に、消去プログラムを起動して、該当する実データを上書き消去し、秘匿性を確保し、それ以外の場合は、実データの上書き消去を行わない。  【選択図】  図２
2006195517.tif 000002
【特許請求の範囲】
【請求項１】
記憶装置のデータに基づいて画像処理を行う画像処理装置であって、
前記記憶装置に書き込まれ不要となったデータに対して上書き消去を行う許可を与えることができるイネーブラであって、画像処理装置に対して着脱自在に設けられるイネーブラの装着の有無を判断するイネーブラ装着判断部と、
前記記憶装置に書き込まれたデータが不要となった場合に、前記イネーブラ装着判断部により前記イネーブラが装着されていると判断された場合は、前記不要となったデータを削除すると共に、前記記憶装置のデータ領域に上書き消去を実行する一方、前記イネーブラが装着されていないと判断された場合は、前記不要となったデータを削除するが上書き消去を実行しない不要データ処理部と
を備えてなる画像処理装置。
【請求項２】
記憶装置の第１の記憶領域に格納されたファイル・アロケーション・テーブルのアロケーション・データが示す記憶装置の第２の記憶領域に格納された実データに基づいて画像処理を行う画像処理装置であって、
前記記憶装置に格納されたアロケーション・データが示す実データを上書き消去する使用済み画像データ消去プログラムを格納している消去プログラム記憶部と、
前記記憶装置に書き込まれ不要となった実データに対して前記使用済み画像データ消去プログラムを画像処理装置のコンピュータに実行させて上書き消去を行う許可を与えることができるイネーブラであって、画像処理装置に対して着脱自在に設けられる前記イネーブラの装着の有無を判断するイネーブラ装着判断部と、
アロケーション・データが示す実データが不要となった場合に前記イネーブラ装着判断部により前記イネーブラが装着されていると判断された場合は、前記アロケーション・データを削除すると共に、前記使用済み画像データ消去プログラムを起動して前記アロケーション・データが示す実データを消去する一方、前記イネーブラが装着されていないと判断された場合は、前記該当するアロケーション・データのみを削除する不要データ処理部と
を備えてなる画像処理装置。
【請求項３】
請求項１又は請求項２の画像処理装置において、
前記イネーブラは、画像処理装置の本体側に配置されたＵＳＢインタフェースと、ＵＳＢインタフェースに抜去自在に挿入され、ＵＳＢインタフェースに利用制限解除データを与えて使用済み画像データ消去プログラムの利用制限の解除を可能にさせる鍵装置とから構成されている画像処理装置。
【請求項４】
記憶装置のデータに基づく画像処理を画像処理装置のコンピュータに実行させる画像処理プログラムであって、
前記記憶装置における不要データの有無を判断する不要データ判断ステップと、
前記記憶装置に書き込まれ不要となったデータに対して上書き消去を行う許可を与えることができるイネーブラであって、画像処理装置に対して着脱自在に設けられるイネーブラの装着の有無を判断するイネーブラ装着判断ステップと、
前記不要データ判断ステップにより、前記記憶装置に不要データが有ると判断され、且つ前記イネーブラ装着判断部により前記イネーブラが装着されていると判断された場合は、前記不要となったデータを削除すると共に、前記記憶装置のデータ領域に上書き消去を実行する一方、前記イネーブラが装着されていないと判断された場合は、前記不要となったデータを削除するが上書き消去を実行しない不要データ処理ステップと
を備えてコンピュータに実行させる画像処理プログラム。
【請求項５】
記憶装置の第１の記憶領域に格納されたファイル・アロケーション・テーブルのアロケーション・データが示す記憶装置の第２の記憶領域に格納された実データに基づく画像処理を画像処理装置のコンピュータに実行させる画像処理プログラムであって、
前記記憶装置に書き込まれ不要となった実データに対して上書き消去を行う許可を与えることができるイネーブラであって、画像処理装置に対して着脱自在に設けられる前記イネーブラの装着の有無を判断するイネーブラ装着判断ステップと、
アロケーション・データが示す実データが不要となった場合に前記イネーブラ装着判断ステップにより前記イネーブラが装着されていると判断された場合は、前記アロケーション・データを削除すると共に、前記アロケーション・データが示す実データを消去する一方、前記イネーブラが装着されていないと判断された場合は、前記該当するアロケーション・データのみを削除する不要データ処理ステップと
を備えてコンピュータに実行させる画像処理プログラム。
【請求項６】
記憶装置のデータに基づく画像処理を画像処理装置において行う画像処理方法であって、
前記記憶装置における不要データの有無を判断する不要データ判断ステップと、
前記記憶装置に書き込まれ不要となったデータに対して上書き消去を行う許可を与えることができるイネーブラであって、画像処理装置に対して着脱自在に設けられるイネーブラの装着の有無を判断するイネーブラ装着判断ステップと、
前記不要データ判断ステップにより、前記記憶装置に不要データが有ると判断され、且つ前記イネーブラ装着判断部により前記イネーブラが装着されていると判断された場合は、前記不要となったデータを削除すると共に、前記記憶装置のデータ領域に上書き消去を実行する一方、前記イネーブラが装着されていないと判断された場合は、前記不要となったデータを削除するが上書き消去を実行しない不要データ処理ステップと
を備える画像処理装置の画像処理方法。
【請求項７】
記憶装置の第１の記憶領域に格納されたファイル・アロケーション・テーブルのアロケーション・データが示す記憶装置の第２の記憶領域に格納された実データに基づく画像処理を画像処理装置において行う画像処理方法であって、
前記記憶装置に書き込まれ不要となった実データに対して上書き消去を行う許可を与えることができるイネーブラであって、画像処理装置に対して着脱自在に設けられる前記イネーブラの装着の有無を判断するイネーブラ装着判断ステップと、
アロケーション・データが示す実データが不要となった場合に前記イネーブラ装着判断ステップにより前記イネーブラが装着されていると判断された場合は、前記アロケーション・データを削除すると共に、前記アロケーション・データが示す実データを消去する一方、前記イネーブラが装着されていないと判断された場合は、前記該当するアロケーション・データのみを削除する不要データ処理ステップと
を備えてなる画像処理方法。
【発明の詳細な説明】
【技術分野】
【０００１】
本発明は、ＨＤＤ（ハードディスク）のような記憶装置に記憶されたデータに基づいて画像処理を行う画像処理装置等に関し、特に、不要となった記憶装置のデータの処理に関する画像処理装置、画像処理プログラム及び画像処理方法に関するものである。
【背景技術】
【０００２】
従来より、情報漏洩防止等のために一度記憶されたデータを消去するようにしたセキュリティ機能を備えた画像処理装置が知られる。例えば、下記特許文献１によれば、画像処理装置において、消去対象となる画像データが出力される処理モード毎に求められているセキュリティレベルに応じて消去回数を任意に設定できるように、画像データ消去手段による消去作業の回数を制御する消去回数制御手段を備えるようにした技術が開示されている（例えば特許文献１参照）。
【特許文献１】特開２００４−１５３５１６号公報
【発明の開示】
【発明が解決しようとする課題】
【０００３】
しかし、近年の画像処理装置においては、ある機能の使用を制限し、またはその制限解除を行うために、画像処理装置にイネーブラを着脱自在に設けられるようにすることで、ユーザ側にとってはその使用勝手の向上を図り得、一方製造者側ではその製造コスト低減を図り得るようにすることが望まれている。
【０００４】
このような画像処理装置においては、その一例として、イネーブラが装着されている場合は、そのイネーブラに応じて、画像処理装置に備えられた例えばＦＡＸ機能、スキャナ機能、プリント機能などの種々のジョブ機能の使用が許可される一方、イネーブラを装着しない場合は、それらのジョブ機能の使用が制限されるという使用態様が考えられる。
【０００５】
しかるに、このようなイネーブラを着脱自在に備える画像処理装置においては、さらにＨＤＤなどの記憶装置のデータの処理方法にも、上述したイネーブラの機能を拡張し、適宜制限及び制限解除を行うようにできれば、データ処理方法の自由度を高めることができ、画像処理装置の使用勝手が向上する。
【０００６】
例えば、実データの削除のために、上書き消去の機能を設定した場合は、そのデータ消去のために、多大の時間を必要とするので、その実データが秘匿性を要しないような場合には時間を要する実データの消去はせずに、作業を速く進めたいというユーザの要望が生じ得るが、このような場合に、簡単に上書き消去機能を制限できればユーザにとって使用勝手は向上する。
【０００７】
本発明は上述した問題点を解決するためになされたものであり、記憶装置において不要となったデータについて単に削除するか、或いは削除に加えて更に上書き消去を行うかについて、極めて簡単に選択／実行することができる画像処理装置、画像処理プログラム、及び画像処理方法を提供することを目的としている。
【課題を解決するための手段】
【０００８】
上述した課題を解決するため、本発明は、記憶装置のデータに基づいて画像処理を行う画像処理装置であって、前記記憶装置に書き込まれ不要となったデータに対して上書き消去を行う許可を与えることができるイネーブラであって、画像処理装置に対して着脱自在に設けられるイネーブラの装着の有無を判断するイネーブラ装着判断部と、前記記憶装置に書き込まれたデータが不要となった場合に、前記イネーブラ装着判断部により前記イネーブラが装着されていると判断された場合は、前記不要となったデータを削除すると共に、前記記憶装置のデータ領域に上書き消去を実行する一方、前記イネーブラが装着されていないと判断された場合は、前記不要となったデータを削除するが上書き消去を実行しない不要データ処理部とを備えてなる。
【０００９】
また、本発明は、記憶装置の第１の記憶領域に格納されたファイル・アロケーション・テーブルのアロケーション・データが示す記憶装置の第２の記憶領域に格納された実データに基づいて画像処理を行う画像処理装置であって、前記記憶装置に格納されたアロケーション・データが示す実データを上書き消去する使用済み画像データ消去プログラムを格納している消去プログラム記憶部と、前記記憶装置に書き込まれ不要となった実データに対して前記使用済み画像データ消去プログラムを画像処理装置のコンピュータに実行させて上書き消去を行う許可を与えることができるイネーブラであって、画像処理装置に対して着脱自在に設けられる前記イネーブラの装着の有無を判断するイネーブラ装着判断部と
アロケーション・データが示す実データが不要となった場合に前記イネーブラ装着判断部により前記イネーブラが装着されていると判断された場合は、前記アロケーション・データを削除すると共に、前記使用済み画像データ消去プログラムを起動して前記アロケーション・データが示す実データを消去する一方、前記イネーブラが装着されていないと判断された場合は、前記該当するアロケーション・データのみを削除する不要データ処理部とを備えてなる。
【００１０】
また、本発明は、記憶装置のデータに基づく画像処理を画像処理装置のコンピュータに実行させる画像処理プログラムであって、前記記憶装置における不要データの有無を判断する不要データ判断ステップと、前記記憶装置に書き込まれ不要となったデータに対して上書き消去を行う許可を与えることができるイネーブラであって、画像処理装置に対して着脱自在に設けられるイネーブラの装着の有無を判断するイネーブラ装着判断ステップと、前記不要データ判断ステップにより、前記記憶装置に不要データが有ると判断され、且つ前記イネーブラ装着判断部により前記イネーブラが装着されていると判断された場合は、前記不要となったデータを削除すると共に、前記記憶装置のデータ領域に上書き消去を実行する一方、前記イネーブラが装着されていないと判断された場合は、前記不要となったデータを削除するが上書き消去を実行しない不要データ処理ステップとを備えてコンピュータに実行させる。
【００１１】
また、本発明は、記憶装置の第１の記憶領域に格納されたファイル・アロケーション・テーブルのアロケーション・データが示す記憶装置の第２の記憶領域に格納された実データに基づく画像処理を画像処理装置のコンピュータに実行させる画像処理プログラムであって、前記記憶装置に書き込まれ不要となった実データに対して上書き消去を行う許可を与えることができるイネーブラであって、画像処理装置に対して着脱自在に設けられる前記イネーブラの装着の有無を判断するイネーブラ装着判断ステップと、アロケーション・データが示す実データが不要となった場合に前記イネーブラ装着判断ステップにより前記イネーブラが装着されていると判断された場合は、前記アロケーション・データを削除すると共に、前記アロケーション・データが示す実データを消去する一方、前記イネーブラが装着されていないと判断された場合は、前記該当するアロケーション・データのみを削除する不要データ処理ステップとを備えてコンピュータに実行させる。
【００１２】
また、本発明は、記憶装置のデータに基づく画像処理を画像処理装置において行う画像処理方法であって、前記記憶装置における不要データの有無を判断する不要データ判断ステップと、前記記憶装置に書き込まれ不要となったデータに対して上書き消去を行う許可を与えることができるイネーブラであって、画像処理装置に対して着脱自在に設けられるイネーブラの装着の有無を判断するイネーブラ装着判断ステップと、前記不要データ判断ステップにより、前記記憶装置に不要データが有ると判断され、且つ前記イネーブラ装着判断部により前記イネーブラが装着されていると判断された場合は、前記不要となったデータを削除すると共に、前記記憶装置のデータ領域に上書き消去を実行する一方、前記イネーブラが装着されていないと判断された場合は、前記不要となったデータを削除するが上書き消去を実行しない不要データ処理ステップとを備える。
【００１３】
また、本発明は、記憶装置の第１の記憶領域に格納されたファイル・アロケーション・テーブルのアロケーション・データが示す記憶装置の第２の記憶領域に格納された実データに基づく画像処理を画像処理装置において行う画像処理方法であって、前記記憶装置に書き込まれ不要となった実データに対して上書き消去を行う許可を与えることができるイネーブラであって、画像処理装置に対して着脱自在に設けられる前記イネーブラの装着の有無を判断するイネーブラ装着判断ステップと、アロケーション・データが示す実データが不要となった場合に前記イネーブラ装着判断ステップにより前記イネーブラが装着されていると判断された場合は、前記アロケーション・データを削除すると共に、前記アロケーション・データが示す実データを消去する一方、前記イネーブラが装着されていないと判断された場合は、前記該当するアロケーション・データのみを削除する不要データ処理ステップとを備えてなる。
【発明の効果】
【００１４】
以上に詳述した本発明によれば、記憶装置において不要となったデータについて単に削除するか、或いは削除に加えて更に上書き消去を行うかについて、極めて簡単に選択／実行することができるという効果を奏する。
【発明を実施するための最良の形態】
【００１５】
以下、本発明の実施の形態について図面を参照しつつ説明する。図１は、本発明の画像処理装置の実施の形態であるデジタル複合機においてイネーブラがどのように用いられているかを説明するための図、図２は、図１のデジタル複合機の各部の関連を示すブロック図、図３は、図２のＨＤＤのデータをどのように消去するかを説明するためのフローチャート、図４は、図１または図２で示されるイネーブラがＭＦＰ本体のＵＳＢインタフェースに対して挿入状態（装着状態）にされているか、あるいは、抜去状態にされているかについて、どのように検出するのかを説明するためのフローチャート、図５は、画像データがＨＤＤにどのように記憶されるのかを説明するための図である。
【００１６】
図１のデジタル複合機であるＭＦＰ（Multi Functional Peripheral）１００は、ＣＰＵ１０と、メモリ１１と、ＰＣＩバス１２（Peripheral Component Interconnected Bus）と、ＡＳＩＣ１３，２１（Application Specific Integrated Circuit）と、操作パネル１４と、スキャナ１５と、画像処理部１６と、プリンタ１７と、ＨＤＤ１９と、ＵＳＢインタフェース２０と、ＩＤＥコントローラ２２と、ＳＲＡＭ２３とを有する。
【００１７】
この場合、イネーブラ１は、ＭＦＰ１００の本体に配置されたＵＳＢインタフェース２０と協働して消去プログラム利用制限解除装置を構成している。この場合、イネーブラ１がＵＳＢインタフェース２０に挿入されていると、使用済み画像データ消去プログラム（以降、消去プログラムと略記する）の利用制限を解除する。この場合、消去プログラムは、消去プログラム記憶領域となっているメモリ１１に格納されており、ＣＰＵ１０の指示により稼動する。また、イネーブラ１は、フラッシュメモリを主体とする鍵装置（ハードウェアキー）に構成され、ＵＳＢインタフェース２０に対しては活栓挿抜可能にされている。
【００１８】
ＣＰＵ１０は、メモリ１１とＳＲＡＭ２３には直接的に接続され、その他の各部とはＰＣＩバス１２を介して接続されている。この場合、消去制御部として働くＣＰＵ１０は、イネーブラ１の挿入を検出した場合には、フラグをＳＲＡＭ２３に立てるように管理する。また、ＣＰＵ１０は、メモリ１１に格納された制御プログラムに従って各部を制御するが、その制御プログラムには、例えば、プリンタ機能あるいはスキャナ機能に関する画像形成プログラムなどとともに、消去プログラムが含まれている。
【００１９】
この消去プログラムは、後述の条件が整ったときに、画像形成処理（印刷処理）の後にＨＤＤ１９に残された不要な画像データを消去する。ＨＤＤ１９の第１の記憶領域にはファイル・アロケーション・テーブル（ＦＡＴ；File Allocation Table）が格納されており、ＦＡＴのアロケーション・データが示す第２の記憶領域には画像形成等に用いられる画像データ（実データ）が格納されており、上述の消去プログラムは、第２の記憶領域における実データを消去できるように用意されたプログラムである。
【００２０】
操作入力が行われる操作パネル１４は、ＡＳＩＣ１３を介してＰＣＩバス１２に、スキャナ１５およびプリンタ１７は、画像処理部１６を介してＰＣＩバス１２にそれぞれ接続されている。ＨＤＤ１９は、ＩＤＥコントローラ２２を介してＰＣＩバス１２に接続されている。ＵＳＢインタフェース２０は、ＡＳＩＣ２１を介してＰＣＩバス１２に接続されている。したがって、ＰＣＩバス１２は、ＣＰＵ１０と、操作パネル１４と、画像処理部１６と、ＨＤＤ１９と、ＵＳＢインタフェース２０とを接続していることになる。
【００２１】
次に、上述のように構成されたＭＦＰ１００における画像形成処理（印刷）および画像形成処理後の消去の動作について図３，図４，図５を参照して説明する。ＣＰＵ１０は、図３に示されるように、画像処理部１６を制御して、画像形成処理を実行する（Ｓ１１）。例えば、図５に示されるように、スキャナが読み取ったデータをページメモリに格納するとともに、必要な画像処理を行い、画像データとしてＨＤＤ１９に格納する。
【００２２】
ＨＤＤ１９に格納する場合には、図５に示されるように、ＨＤＤ１９の第１の記憶領域のＦＡＴのアロケーション・データが示すＨＤＤ１９の第２の記憶領域に実データ（画像データ）として格納する。さらに、ＣＰＵ１０は、ＨＤＤ１９に格納させた実データを、画像データとして、画像処理部１６を介してプリンタ１７に与える。プリンタ１７は、画像処理部１６から与えられる画像データに基づき印刷紙などへ印刷を行う。印刷を行った後に、不要であるとされた画像データがＨＤＤ１９に残っているか否かを判断する（Ｓ１２）。ステップＳ１２において、不要であるとされた画像データが残っていなければ、ステップＳ１１に戻るが、残っている場合には、ＳＲＡＭ２３にイネーブラ１が装着されている旨を示すフラグが立っているか否か判断する（Ｓ１３）。
【００２３】
イネーブラ１が装着されているか否かを示すフラグは、図４に示されるようなステップでＣＰＵ１０によって管理されている。すなわち、ＣＰＵ１０は、イネーブラ１がＵＳＢインタフェース２０に挿入（装着）されているか否かを判断し（Ｓ２１）、挿入されている場合には、ＳＲＡＭ２３にその旨を示すフラグを立て（Ｓ２２）、一定の時間ｔが経過するのを待って（Ｓ２４）ステップＳ２１に戻る。ステップＳ２１において、イネーブラ１が挿入されていないと判断した場合には、ＳＲＡＭ２３にフラグが立っていない状態にし（Ｓ２３）、一定の時間ｔが経過するのを待って（Ｓ２４）ステップＳ２１に戻る。したがって、時間ｔ毎にＵＳＢインタフェース２０に対するイネーブラ１の挿入抜去がチェックされる。
【００２４】
図３のステップＳ１３において、ＵＳＢインタフェース２０にイネーブラ１が挿入されてＳＲＡＭ２３にフラグが立っていると判断された場合には、ＣＰＵ１０は、消去すべき画像データに関するアロケーション・データを削除する（Ｓ１４）とともに、メモリ１１に格納されている消去プログラムを稼動させ、そのアロケーション・データが示す実データを上書き消去する（Ｓ１５）。上書き消去の後にステップＳ１２に戻る。ステップＳ１３において、ＵＳＢインタフェース２０にイネーブラ１が挿入されておらず、ＳＲＡＭ２３にフラグが立っていないと判断された場合には、従来と同様に、アロケーション・データを削除（Ｓ１６）するが、実データの上書き消去は行わずにステップＳ１２にもどる。
【００２５】
上述した画像処理装置の動作を概括すれば、ＵＳＢインタフェース２０にイネーブラ１が挿入されることにより、メモリ１１に格納された消去プログラムの利用制限は解除されるので、不要な使用済みの画像データに対してＣＰＵ１０は、メモリ１１に格納されている消去プログラムを起動させ、起動させた消去プログラムによってＨＤＤ１９に残されている使用済みの画像データに関連する実データを消去する。それ以外の条件の場合は従来どおりの処理、例えば、アロケーション・データのみの消去（データ削除）を行う。
【００２６】
上述の説明からも明らかなように、秘密を要する文書（外部漏洩を許さない文書）については、イネーブラ１をＵＳＢインタフェース２０に挿入して本発明の消去プログラムを利用できるように設定し、秘密を要しない文書についてはイネーブラ１をＵＳＢインタフェース２０から抜去し、本発明の消去プログラムを利用せずに従来機能を利用して高速度で作業を処理できるように設定することにより消去機能を選択的に設定できる。
【００２７】
なお、本実施の形態によれば、画像処理装置のコンピュータに図３、図４で示した各ステップを実行させるプログラムを画像処理プログラムとして提供することができる。
【００２８】
以上に詳述したように本発明の実施の形態によれば、ＨＤＤに格納されたアロケーション・データが示す実データを上書き消去する使用済み画像データ消去プログラムを予め消去プログラム記憶領域に格納しておき、アロケーション・データが示す実データによって画像形成処理を行った場合に、消去制御部は、イネーブラ（消去プログラム利用制限解除装置）によって使用済み画像データ消去プログラムの利用制限が解除されていることを検出することにより、画像形成処理に用いられた不要データに対して、使用済み画像データ消去プログラムを起動して、該当するアロケーション・データを削除すると共に、それが示す実データを上書き消去する。また、使用済み画像データ消去プログラムの利用制限が解除されていない場合には、従来と同様に処理し、多大な時間を要する実データの消去処理は行わない。
【００２９】
このことにより、秘密を重要視するデータについては実データまでの完全な消去を行えるし、秘密を重要視しないデータについては従来どおりの処理を行って処理時間を節約できることにより、目的に合わせ、あるいは、部署の要求に合わせて処理方法を自在に選択できる。上述の例では、フラグのためにＳＲＡＭ２３を用いることにしたがメモリ１１あるいはレジスタを用いても良い。
【００３０】
以上、本発明の実施の形態について説明したが、本発明は、上述の実施の形態に限定されるものではなく、実施の段階では、発明の要旨を逸脱しない範囲で種々に変形することが可能であり、各実施の形態は可能な限り適宜に組み合わせて実施することによりそれぞれの効果を得ることも可能である。
【００３１】
例えば、上述したプログラムは、装置内のメモリを記録媒体として説明したが、このプログラムは、ネットワークから装置にダウンロードするようにしても良いし、同様の機能を記録媒体に記憶させたものを装置にインストールしても良い。また、記録媒体としては、ＣＤ−ＲＯＭ等プログラムを記憶でき、且つ装置が読取り可能な記録媒体であれば，その形態は何れの形態であっても良い。またこのように予めインストールやダウンロードにより得る機能は装置内部のＯＳ（オペレーティング・システム）等と協働してその機能を実現させるものであっても良い。
【図面の簡単な説明】
【００３２】
【図１】本発明の画像処理装置の実施の形態であるデジタル複合機においてイネーブラがどのように用いられているかを説明するための図である。
【図２】図１のデジタル複合機の各部の関連を示すブロック図である。
【図３】図２のＨＤＤのデータをどのように消去するかを説明するためのフローチャートである。
【図４】図１または図２で示されるイネーブラがＭＦＰ本体のＵＳＢインタフェースに対して挿入状態にされているか、あるいは、抜去状態にされているかについて、どのように検出するのかを説明するためのフローチャートである。
【図５】画像データがＨＤＤにどのように記憶されるのかを説明するための図である。
【符号の説明】
【００３３】
１０  ＣＰＵ、１１  メモリ、１２  ＰＣＩバス、１３，２１  ＡＳＩＣ、１４  操作パネル、１５  スキャナ、１６  画像処理部、１７  プリンタ、１９  ＨＤＤ、２０  ＵＳＢインタフェース、２２  ＩＤＥコントローラ、２３  ＳＲＡＭ、１００  ＭＦＰ。
【図１】
2006195517.tif 000003
【図２】
2006195517.tif 000004
【図３】
2006195517.tif 000005
【図４】
2006195517.tif 000006
【図５】
2006195517.tif 000007